(57)【特許請求の範囲】
【請求項１】
帯状の台紙に多数のラベルを一列に貼りつけてなるラベルシートのロールを保持するロール保持部と、該ロール保持部から引き出されたラベルシートのラベルに所定の情報を印字する印字部と、該印字部で印字されたラベルを剥離した後の台紙を巻き取る台紙巻き取り部とを有し、上記印字部が、印字ローラと該印字ローラとの間にラベルシートを挟み付けた状態でラベルに印字する印字ヘッドとを有するラベルプリンタにおいて、上記ロール保持部、印字ローラ及び台紙巻き取り部が、プリンタ本体に対して前方へ引き出し可能とされたベース部材上に配設されて、これらにより引き出しユニットが構成されていると共に、上記印字ヘッドは、プリンタ本体に、引き出しユニットの前方への引き出し経路から退避可能に取り付けられており、かつ、上記引き出しユニットにおけるロール保持部と印字ローラとの間に、送りローラと、該送りローラとの間にラベルシートを挟み付ける押えローラとが備えられていると共に、引き出しユニットがプリンタ本体内に位置する状態で、上記印字ヘッドの印字位置と退避位置との間の移動に連動させて、上記押えローラを送りローラへの押し付け位置と該送りローラからの離反位置とに移動させる押えローラ連動機構が設けられていることを特徴とするラベルプリンタ。
【請求項２】
印字ヘッドは、引き出しユニットの引き出し方向に対して側方へ退避可能とされていることを特徴とする請求項１に記載のラベルプリンタ。
【請求項３】
引き出しユニットにおける印字ローラとの間に台紙を挟み付ける台紙用押えローラが備えられていると共に、引き出しユニットのプリンタ本体内と引き出し位置との間の移動に連動させて、上記台紙用押えローラを印字ローラへの押し付け位置と該印字ローラからの離反位置とに移動させる台紙用押えローラ連動機構が設けられていることを特徴とする請求項１または請求項２に記載のラベルプリンタ。
【請求項４】
引き出しユニットにおける印字ローラの前方に、台紙から剥離されたラベルを受け取るラベル受け部が備えられていると共に、引き出しユニットのプリンタ本体内と引き出し位置との間の移動に連動させて、上記ラベル受け部を印字ローラ前方のラベル受け取り位置とその下方の退避位置とに移動させるラベル受け部連動機構が設けられていることを特徴とする請求項１から請求項３のいずれか１項に記載のラベルプリンタ。
【請求項５】
ラベルシート上におけるラベルの通過を検出するラベルセンサがプリンタ本体に備えられていると共に、引き出しユニットのプリンタ本体内と引き出し位置との間の移動に連動させて、上記ラベルセンサをラベル検出位置と引き出しユニットの引き出し経路からの退避位置とに移動させるラベルセンサ連動機構が設けられていることを特徴とする請求項１から請求項４のいずれか１項に記載のラベルプリンタ。
【発明の詳細な説明】
【０００１】
【発明の属する技術分野】
本発明は、ラベルプリンタ、特にラベルシートのロールの交換作業性を向上させたラベルプリンタに関し、印刷器機の技術分野に属する。
【０００２】
【従来の技術】
台紙に貼り付けられたラベルに所定の情報を印字した後、これを台紙から剥離して発行するようにしたラベルプリンタが計量値付装置や計量包装値付装置をはじめとする商品流通システム等において広く用いられている。
【０００３】
このラベルプリンタには、帯状の台紙に多数のラベルを一列に貼り付けてなるラベルシートのロールを保持するロール保持部と、該保持部から引き出されたラベルシートのラベルにコントロールユニットから供給される情報を印字する印字部と、該印字部で印字されたラベルを剥離して発行した後の台紙を巻き取る台紙巻き取り部等が設けられ、ラベルシートのロール交換時には、巻き取り部に巻き取られた台紙を除去した上で、新しいロールを上記ロール保持部に装着し、そのロールから引き出したシートの先端部を、印字部を経由する送り経路に沿ってセットすると共に、その先端を台紙巻き取り部に巻き付ける作業が行われる。
【０００４】
その場合に、この作業を容易に行い得るようにするため、上記ロール保持部、印字部及び台紙巻き取り部等の側方を開放可能として、上記ロールの装着やシートのセット等の作業を側方のスペースを利用して行い得るように構成し、或いは上記各部をユニット化し、これをプリンタ本体から前方へ引き出し可能として、前方への引き出し位置で上記作業を行い得るように構成することが行われている。特に後者は、プリンタが上記計量包装値付装置等に備えられる場合には、装置の前方へプリンタを引き出して交換作業を行えるので有効である。
【０００５】
【発明が解決しようとする課題】
しかし、従来におけるユニットを前方へ引き出すタイプのラベルプリンタにおいては、上記のロール保持部、印字部、及び台紙巻き取り部等を含むプリンタの内部構造のほぼ全体を引き出す構成であったため、次のような問題点があった。
【０００６】
つまり、上記印字部は、印字ローラと、該印字ローラとの間にラベルシートを挟み付けた状態でラベルに所定の情報を印字する印字ヘッドとで構成され、このうち、印字ヘッドには印字すべき情報や電源をコントロールユニットから供給するハーネスが接続されているので、この印字ヘッドを引き出しユニットに搭載した場合、該引き出しユニットの出し入れ時にハーネスが引っかかったり噛み込んだりするおそれがあり、また、このハーネスがロールの装着やシートのセット等の作業の邪魔になる。特に、上記コントロールユニットも引き出しユニットに搭載したものにおいては、該引き出しユニットが重くなり、良好な操作性が得られないことになる。
【０００７】
そこで、本発明は、上記のような構成のラベルプリンタにおいて、ロール交換作業の作業性の向上を図ることを課題とする。
【０００８】
【課題を解決するための手段】
上記課題を解決するため、本発明は次のように構成したことを特徴とする。
【０００９】
まず、本願の請求項１に記載の発明（以下、第１発明という）は、帯状の台紙に多数のラベルを一列に貼りつけてなるラベルシートのロールを保持するロール保持部と、該ロール保持部から引き出されたラベルシートのラベルに所定の情報を印字する印字部と、該印字部で印字されたラベルを剥離した後の台紙を巻き取る台紙巻き取り部とを有し、上記印字部が、印字ローラと該印字ローラとの間にラベルシートを挟み付けた状態でラベルに印字する印字ヘッドとを有するラベルプリンタにおいて、上記ロール保持部、印字ローラ及び台紙巻き取り部を、プリンタ本体に対して前方へ引き出し可能とされたベース部材上に配設して、これらにより引き出しユニットを構成すると共に、上記印字ヘッドは、プリンタ本体に、引き出しユニットの前方への引き出し経路から退避可能に取り付け、かつ、上記引き出しユニットにおけるロール保持部と印字ローラとの間に、送りローラと、該送りローラとの間にラベルシートを挟み付ける押えローラとを備えると共に、引き出しユニットがプリンタ本体内に位置する状態で、上記印字ヘッドの印字位置と退避位置との間の移動に連動させて、上記押えローラを送りローラへの押し付け位置と該送りローラからの離反位置とに移動させる押えローラ連動機構を設けたことを特徴とする。
【００１０】
また、請求項２に記載の発明（以下、第２発明という）は、上記第１発明のラベルプリンタにおいて、印字ヘッドを、引き出しユニットの引き出し方向に対して側方へ退避可能としたことを特徴とする。
【００１２】
また、請求項３に記載の発明（以下、第３発明という）は、上記第１発明または第２発明のラベルプリンタにおいて、引き出しユニットにおける印字ローラとの間に台紙を挟み付ける台紙用押えローラを備えると共に、引き出しユニットのプリンタ本体内と引き出し位置との間の移動に連動させて、上記台紙用押えローラを印字ローラへの押し付け位置と該印字ローラからの離反位置とに移動させる台紙用押えローラ連動機構を設けたことを特徴とする。
【００１３】
さらに、請求項４に記載の発明（以下、第４発明という）は、上記第１発明から第３発明のいずれかのラベルプリンタにおいて、引き出しユニットにおける印字ローラの前方に、台紙から剥離されたラベルを受け取るラベル受け部を備える共に、引き出しユニットのプリンタ本体内と引き出し位置との間の移動に連動させて、上記ラベル受け部を印字ローラ前方のラベル受け取り位置とその下方の退避位置とに移動させるラベル受け部連動機構を設けたことを特徴とする。
【００１４】
そして、請求項５に記載の発明は（以下、第５発明という）は、上記第１発明から第４発明のいずれかのラベルプリンタにおいて、ラベルシート上におけるラベルの通過を検出するラベルセンサをプリンタ本体に備えると共に、引き出しユニットのプリンタ本体内と引き出し位置との間の移動に連動させて、上記ラベルセンサをラベル検出位置と引き出しユニットの引き出し経路からの退避位置とに移動させるラベルセンサ連動機構を設けたことを特徴とする。
【００１５】
上記のように構成したことにより、本願各発明によれば、次の作用が得られる。
【００１６】
まず、第１発明によれば、ロール保持部や台紙巻き取り部等をベース部材上に配設してなる引き出しユニットに、印字部を構成する印字ヘッドと印字ローラのうちの印字ローラのみが支持されて、印字ヘッドはプリンタ本体側に取り付けられるので、ロール交換時等において、上記引き出しユニットをプリンタ本体から前方へ引き出すときに、印字ヘッドはプリンタ本体側に残されることになる。したがって、該引き出しユニットの出し入れ時に印字ヘッドに接続されたハーネスを引っかけたり噛み込んだりすることが防止されると共に、該ハーネスがロール交換作業の邪魔になることも防止され、さらに、ユニットの出し入れが軽くなるなど、該ロール交換作業の作業性が向上することになる。
【００１７】
その場合に、この発明によれば、引き出しユニットにおけるロール保持部と印字ローラとの間に、送りローラと該送りローラとの間にラベルシートを挟み付ける押えローラとが備えられ、この押えローラが、印字ヘッドの退避位置への移動に連動して送りローラから離反することになる。
【００１８】
したがって、ロール交換時においてラベルシートを印字部にセットするときに、押えローラが送りローラから自動的に離反されて上記シートのセット作業が容易に行えることになる。また、シートのセット後に、印字ヘッドを印字位置にセットすれば、押えローラがラベルシートを介して自動的に送りローラに対接されることになり、該押えローラのセット作業が不要となる。
【００１９】
また、第２発明によれば、印字ヘッドは、引き出しユニットの引き出し方向に対して側方へ退避可能とされているので、例えば径の大きなロールを保持するために引き出しユニットにおけるロール保持部の容積が大きく設定されている場合にも、印字ヘッドを比較的小さな移動量で退避位置へ移動させることが可能となり、該印字ヘッドを移動可能に保持する機構が簡素化されると共に、その移動操作の操作性が良好となる。
【００２０】
また、第３発明によれば、引き出しユニットにおける印字ローラとの間に台紙を挟み付ける台紙用押えローラが備えられ、この台紙用押えローラが、引き出しユニットの引き出し動作に連動して印字ローラから離反することになる。したがって、ロール交換時において台紙を印字部にセットするときに、台紙用押えローラが印字ローラから自動的に離反されて上記台紙のセット作業が容易に行えることになる。また、台紙のセット後に、引き出しユニットをプリンタ本体内に押し込めば、台紙用押えローラが台紙を介して自動的に印字ローラに対接されることになり、該台紙用押えローラのセット作業が不要となる。
【００２１】
さらに、第４発明によれば、引き出しユニットにおける印字ローラの前方に、台紙から剥離されたラベルを受け取るラベル受け部が備えられる場合に、このラベル受け部が、引き出しユニットの引き出しに連動して下方の退避位置に移動するので、ロールの交換時において印字ローラを経由する経路にラベルシートをセットする際に該ラベル受け部が邪魔になることがなく、また、引き出しユニットをプリンタ本体内へ押し込めば、該ラベル受け部が印字ローラ前方の所定位置に自動的にセットされることになる。
【００２２】
そして、第５発明によれば、ラベルシート上におけるラベルの通過を検出するラベルセンサが備えられる場合に、このラベルセンサが引き出しユニットの引き出しに連動して退避位置に移動するので、該引き出しユニットの引き出しの邪魔になることがなく、また引き出しユニットをプリンタ本体内に押し込めば自動的にラベル検出位置にセットされるので、ロール交換時におけるラベルセンサの移動のための作業が不要となる。そして、このラベルセンサはプリンタ本体側に取り付けられているので、引き出しユニットの引き出し時に、該センサに接続されたハーネスがプリンタ本体外部に引き出されることがなく、このハーネスがロール交換作業の邪魔になることが防止される。
【００２３】
【発明の実施の形態】
以下、本発明の実施の形態に係るラベルプリンタについて説明する。
【００２４】
図１、２に示すように、このラベルプリンタ１は、ベース２上に立設された本体フレーム３と、該フレーム３内に収納された可動フレーム４とを有し、この可動フレーム４は、本体フレーム３の上部内面の両側に前後方向（図１の左右方向）に配設されたレール部材５，５を介して、図示の本体フレーム３内の使用位置から前方へ引き出し可能に支持されている。なお、可動フレーム４の前端部上方には、該可動フレーム４を前後方向に移動させるためハンドル６が備えられている。
【００２５】
ここで、上記レール部材５，５は、本体フレーム３に固着された固定部材５ａ，５ａと、可動フレーム４にブラケット７，７を介して固着された移動部材５ｂ，５ｂとで構成されていると共に、このブラケット７，７の前端部には後方に向けて磁石８，８が取り付けられており、可動フレーム４を本体フレーム３内に収納したときに、これらの磁石８，８が本体フレーム３の前端部上方に設けられたストッパ部３ａに吸着することにより、可動フレーム４が本体フレーム３内の所定位置で固定されるようになっている。
【００２６】
ここで、上記可動フレーム４の一方の面には、帯状の台紙に多数のラベルを一列に貼りつけてなるラベルシートのロールＡを保持するロール保持部１０と、該保持部１０に保持されたロールＡから引き出されたラベルシートＢが送り込まれ、ラベルに所定の文字を印字する印字部２０と、該印字部２０で印字されたラベルが剥離された後の台紙を巻き取る台紙巻き取り部８０とが配設されており、これらロール保持部１０、印字部２０及び台紙巻き取り部８０で引き出しユニット９を構成している。
【００２７】
上記ロール保持部１０には、可動フレーム４に片持状に取り付けられて水平方向に延びるロール支持軸１１が備えられ、該支持軸１１に、ロールＡの芯管が挿入される４本のアーム部を有するボビン１２と、該ボビン１２に結合されて、挿入された芯管の内面に上記各アーム部の間から弾力的に当接することにより該芯管を保持する板バネ１３とからなるロール支持部材１４が回転自在に取り付けられている。
【００２８】
また、上記支持軸１１の先端には、ロールＡが挿入された後に該ロールＡの脱落を防止するロール押え部材１５が取り付けられるようになっている。このロール押え部材１５は細長い板材で形成され、その中央部やや一端よりに上記支持軸１１の先端部に係合される切り込み１５ａが形成されていると共に、他端部は上記印字部２０側に向けて延び、その先端部と可動フレーム３との間に第１ガイドローラ１６が回転自在に架設されている。
【００２９】
そして、この第１ガイドローラ１６の斜め下方には、片持状の第２ガイドローラ１７が可動フレーム３に回転自在に支持され、上記ロール支持部材１４に支持されたロールＡから引き出されたラベルシートＢが、第１、第２ガイドローラ１６，１７によりほぼＳ字状に案内され、該シートＢのラベル貼付け面を上向けた状態で上記印字部２０に送り込むようになっている。
【００３０】
次に、図３、４に示すように、上記印字部２０には、可動フレーム４の前端部下方に第１サブフレーム２１が固設されていると共に、該第１サブフレーム２１の側面から水平方向に延びる複数のロッド（図示せず）に挿通固定された第２サブフレーム２２が設けられ、この第１サブフレーム２１と第２サブフレーム２２との間に、ロール保持部１０に保持されたロールＡからラベルシートＢを繰り出す送りローラ２３と、該送りローラ２３の前方に配置された印字ローラ２４とが回転自在に架設されている。
【００３１】
また、これら送りローラ２３と印字ローラ２４との一端部にはプーリー２３ａ，２４ａが設けられ、これらプーリー２３ａ，２４ａにベルト２５が巻き掛けられていると共に、送りローラ２３の他端部には従動ギヤ２３ｂが備えられている。そして、上記可動フレーム４の磁石８，８が本体フレーム３のストッパ部３ａに吸着することにより、引き出しユニット９が本体フレーム３内の使用位置に収納されるときに上記従動ギヤ２３ｂと噛合する駆動ギヤ２６が本体フレーム３に回転自在に取り付けられている。したがって、引き出しユニット９が本体フレーム３内の上記使用位置に収納されるとき、モータ（図示せず）で該駆動ギヤ２６を駆動することによって送りローラ２３が回転すると共に、上記ベルト２５を介して印字ローラ２４が回転するようになっている。
【００３２】
なお、上記送りローラ２３と印字ローラ２４との間には、ラベルシートＢを案内する第１、第２補助ローラ２７ａ，２７ｂが備えられていると共に、上記送りローラ２３の下方には、ラベルシートＢからラベルが剥離された台紙を案内する第３補助ローラ２７ｃが備えられており、これら第１〜第３補助ローラ２７ａ〜２７ｃが回転自在に架設されている。
【００３３】
また、印字ローラ２４の下流側には、ラベルシートＢを鋭角的に曲折することによってラベルシートＢからラベルを剥離させる剥離棒（図示せず）が配置されている。
【００３４】
ここで、送りローラ２３の上方には、該送りローラ２３に対する第１押えローラ支持機構３０が配設されている。該第１押えローラ支持機構３０は、ローラ移動部３０ａとローラ支持部３０ｂとで構成され、該ローラ移動部３０ａには、可動フレーム４に片持状に取り付けられて水平方向に延びる上下２本の固定ロッド３１ａ，３１ｂが備えられている。また、上記ローラ移動部３０ａには、一対のプレート３２ａ，３２ａ間に当接部材３２ｂが付設された揺動部材３２と、一対の揺動プレート３３，３３とが備えられ、上記揺動部材３２のプレート３２ａ，３２ａの一端部に上方の固定ロッド３１ａが挿通されていると共に、該プレート３２ａ，３２ａと上下平行に位置する上記揺動プレート３３，３３の一端部に下方の固定ロッド３１ｂが挿通されており、これら揺動部材３２と揺動プレート３３，３３とが、固定ロッド３１ａ，３１ｂをそれぞれ支点として揺動自在に支持されている。一方、上記揺動部材３２のプレート３２ａ，３２ａの他端部間及び揺動プレート３３，３３の他端部間には、可動ロッド３４ａ，３４ｂがそれぞれ架設されている。
【００３５】
次に、上記ローラ支持部３０ｂには、支持ブラケット３５が設けられており、該支持ブラケット３５の左右両端部から鉛直上方に延設された支持部に上記ローラ移動部３０ａの可動ロッド３４ａ，３４ｂが挿通されている。したがって、これら揺動部材３２と揺動プレート３３，３３とが固定ロッド３１ａ，３１ｂを支点として揺動するのに伴い、上記支持ブラケット３５が可動ロッド３４ａ，３４ｂと共に上下に移動するようになっている。
【００３６】
支持ブラケット３５の下方には支持プレート３６が配設されていると共に、該支持プレート３６の左右両端部から鉛直下方に延設された支持部間に第１押えローラ３７が回転自在に架設されている。支持プレート３６の上面には、ピン３８，３８の一端部が固着されており、これらピン３８，３８は、支持ブラケット３５に設けられた穴にそれぞれ挿通されている。そして、該ピン３８，３８の他端部にはストッパーが形成され、上記支持ブラケット３５の穴から抜脱することがないようになっている。
【００３７】
ここで、上方の固定ロッド３１ａの両端部には、つる巻きバネ３９，３９が取り付けられており、該バネ３９，３９の一端部が揺動部材３２の当接部材３２ｂに当接していると共に、他端部が下方の固定ロッド３１ｂに当接している。また、上記ピン３８，３８にはバネ４０，４０が備えられ、支持ブラケット３５と上記支持プレート３６との間に介設されている。したがって、後述する印字ヘッドユニット６０が使用位置に固定されるとき、支持ブラケット３５が印字ヘッドユニット６０に押下されることにより、上記揺動部材３２がつる巻きバネ３９，３９の付勢力に抗して押え付けられ、揺動プレート３３，３３と共に所定の位置に固定される。さらに、支持ブラケット３５が上記所定位置に固定された状態のとき、ローラ支持部３０ｂの押えローラ３７は、バネ４０，４０が若干付勢した状態で送りローラ２３を適度に押さえ付けるようになっている。
【００３８】
次に、上記第１、第２サブフレーム２１，２２間の中央下端には、ラベルシートＢからラベルが剥離された台紙を上記台紙巻き取り部８０に案内する支持ローラ２８が回転自在に架設されていると共に、該支持ローラ２８に後端部が枢支され、該支持ローラ２８を支点として揺動自在に支持された揺動ユニット５０が配設されている。該揺動ユニット５０は、上記支持ローラ２８に枢支されたベース部材５１を有し、このベース部材５１の中央部やや前方側に、印字ローラ２４に対する第２押えローラ支持機構５２が備えられている。また、上記ベース部材５１前端部には、上記剥離棒によってラベルシートＢから剥離されたラベルを受け取る複数のラベル受けローラ５３ａ…５３ａを有するラベル受け機構５３が配設されている。
【００３９】
上記第２押えローラ支持機構５２には支持プレート５４が設けられていると共に、該支持プレート５４の左右両端部から鉛直上方に延設された支持部間に第２押えローラ５５が回転自在に架設されている。支持プレート５４の下面には、ピン５６，５６の一端部が固着されており、これらピン５６，５６は、上記ベース部材５１に設けられた穴にそれぞれ挿通されている。そして、該ピン３８，３８の他端部にはストッパーが形成され、上記ベース部材５１の穴から抜脱することがないようになっている。さらに、上記ピン５６，５６にはバネ５７，５７が備えられ、ベース部材５１と支持プレート５４との間に介設されている。
【００４０】
ここで、引き出しユニット９が本体フレーム３内の上記使用位置に収納されるとき、上記揺動ユニット５０は、上記ベース２の底部に取り付けられた支持台２ａによって所定の位置に支持されると共に、上記第２押えローラ５５は、バネ５７，５７が若干付勢した状態で印字ローラ２３を適度に押さえ付けるようになっている。そして、引き出しユニット９が上記所定位置から前方へ引き出されたときに、上記支持台２ａによる揺動ユニット５０の支持が解除されることにより、該揺動ユニット５０が上記支持ローラ２８を支点として下方に揺動し、これに伴って上記第２押えローラ支持機構５２も下方に移動することにより、上記第２押えローラ５５による印字ローラ２４に対する押え付けが解除されるようになっている。
【００４１】
また、上記印字部２０の直上方には、上記ラベルシートＢのラベルにコントロールユニット（図示せず）からの情報を印字する印字ヘッドユニット６０が配設されている。該印字ヘッドユニット６０には、前部下方から後部上方に向かって傾斜する傾斜部と、該傾斜部から鉛直下方に延設された側部と、該側部から水平方向に延設された水平部とを有する印字ブラケット６１が備えられ、上記印字ブラケット６１の傾斜部が本体フレーム３にヒンジ６２，６２を介して取り付けられている。そして、印字ブラケット６１の水平部の下方には、該印字ブラケット６１の水平部側面から突設するピン６１ａに枢支され、該ピン６１ａを支点として揺動自在に支持された印字ヘッド支持部材６３が配設されていると共に、該印字ヘッド支持部材６３の下面に、ロール保持部１０に保持されたロールＡから繰り出されてくるラベルシートＢのラベルにコントロールユニットからの情報を印字するサーマル式印字ヘッド６４が上記印字ローラ２４に相対接するように取り付けられている。
【００４２】
なお、該印字ヘッド６４には、印字すべき情報や電源をコントロールユニットから供給するハーネス６９（図７参照）が接続されている。
【００４３】
また、上記印字ヘッド支持部材６３の上面には、ピン６５，６５の一端部が固着されており、これらピン６５，６５は、上記印字ブラケット６１の水平部に設けられた穴にそれぞれ挿通されている。そして、該ピン６５，６５の他端部にはストッパーが形成され、上記印字ブラケット６１の穴から抜脱することがないようになっている。
【００４４】
さらに、上記ピン６５，６５にはバネ６６，６６が備えられ、印字ブラケット６１の水平部と印字ヘッド支持部材６３との間に介設されている。したがって、上記印字ヘッドユニット６０が使用位置に固定されるとき、印字ヘッド６４は、バネ６６，６６が若干付勢した状態で印字ローラ２４を適度に押さえ付けるようになっている。
【００４５】
ここで、印字ブラケット６１における水平部の直上方には、印字ヘッドユニット６０を所定の位置に固定するロックレバー６７が配設されていると共に、該ロックレバー６７の腕部が上記ピン６１ａに枢支されており、該ピン６１ａを支点として揺動自在に支持されている。また、印字ブラケット６１の水平部側面のやや後方と、上記ロックレバー６７の腕部との間にはバネ６８が介設されており、ロックレバー６７が図４における矢印ア方向に付勢されている。さらに、ロックレバー６７の腕部の先端にはフック６７ａが形成されており、該フック６７ａが上記第２サブフレーム２２の側面から突設するピン２２ａに掛止されることによってロックレバー６７が固定され、これにより、上記印字ヘッドユニット６０がラベルシートＢのラベルに印字可能な使用位置に固定されるようになっている。
【００４６】
また、上記ロックレバー６７に設けられたレバー部６７ｂを図４の矢印イ方向に引き上げると、上記フック６７ａとピン２２ａとの掛合が解除される。すなわち、印字ヘッドユニット６０と可動フレーム４との掛合が解除されると共に、印字ヘッドユニット６０は、本体フレーム３に取り付けられたヒンジ６１，６１を中心にして撥ね上げることができ、上記引き出しユニット９の移動経路に対して側方の退避位置へ退避することができるようになっている。
【００４７】
また、ロックレバー６７とピン２２ａとの掛合が解除されたときには、印字ブラケット６１による第１押えローラ支持機構３０の支持ブラケット３５への押え付けが解除され、つる巻きバネ３９，３９の付勢力によって揺動部材３２の当接部３２ｂが上方へ押し上げられ、これに伴い上記第１押えローラ３７も上方へ持ち上げられることになる。したがって、第１押えローラ３７による送りローラ２３への押え付けが解除されるようになっている。
【００４８】
さらに、上記ラベルプリンタ１には、ロール保持部１０に保持されたロールＡから繰り出されてくるラベルシートＢにおけるラベルの有無を検出し、その検出信号をコントロールユニットに送信するラベルセンサ７０が上記送りローラ２３と印字ローラ２４との間に配置されている。
【００４９】
図３、５、６に示すように、本体フレーム３の側面には、ラベルセンサ７０を支持するラベルセンサ支持フレーム７１が固設されており、該支持フレーム７１の上下に設けられた支持部７１ａ,７１ａ間に支持軸７２が回転自在に架設されている。そして、該支持軸７２にラベルセンサ７０のブラケット７３が取り付けられていると共に、該ブラケット７３の先端部には、先端部が二又とされたラベル検出部材７４が備えられており、該ラベル検出部材７４の先端部の二又間をラベルシートＢが通過することによって、ラベルシートＢにおけるラベルの有無を検出するようになっている。さらに、上記ブラケット７３の後端面には、上記支持フレーム７１における上方の支持部７１ａに固設された板バネ７５が摺接しており、該板バネ７５の付勢力によってラベルセンサ７０が所定のラベル検出位置に固定されている。なお、該ラベル検出部材７４には、ラベル検出結果をコントロールユニットに送信すると共に、電源をコントロールユニットから供給するハーネス７６が接続されている。
【００５０】
ここで、上記印字ヘッドユニット６０を引き出しユニット９の移動経路に対して側方の退避位置に撥ね上げて、該引き出しユニット９を本体フレーム３内の使用位置から前方へ引き出すと、図５に示すように、ラベルセンサ７０のブラケット７３が可動フレーム４に設けられた当接部４ｂに当接し、さらに引き出しユニット９を引き出すことにより、上記当接部４ｂがラベルセンサ７０を上記板バネ７５の付勢力に抗して図５の矢印ウ方向に回転させる。そして、ラベルセンサ７０がラベル検出位置から９０度回転した退避位置まで移動したときに、上記板バネ７５がラベルセンサ７０を上記退避位置で固定するように付勢することになる。
【００５１】
また、引き出しユニット９を前方に引き出した位置から元の使用位置まで押し戻すと、図６に示すように、ブラケット７３に設けられた突設部７３ａに上記当接部４ｂが当接し、さらに引き出しユニット９を押し戻すことにより、該当接部４ｂがラベルセンサ７０を上記板バネ７５の付勢力に抗して図６の矢印エ方向に回転させることになる。そして、ラベルセンサ７０が再び上記ラベル検出位置まで移動したときに、板バネ７５がラベルセンサ７０をラベル検出位置で固定するように付勢するようになっている。
【００５２】
次に、上記台紙巻き取り部８０には、可動フレーム４の他側面にモータ８１が配設されていると共に、該モータ８１に一端部が片持状に取り付けられて、他端部が可動フレームに開設された開口部４ａを通って水平方向に延びる巻き取り軸８２と、該巻き取り軸８２に台紙の先端を保持する保持部材（図示せず）とが取り付けられており、上記モータ８１が駆動することによって上記台紙が巻き取られるようになっている。
【００５３】
次に、本実施の形態の作用について説明する。
【００５４】
まず、ラベルプリンタ１の使用時について説明すると、可動フレーム４の磁石８，８が本体フレーム３のストッパ部３ａに吸着することにより、引き出しユニット９が本体フレーム３内の使用位置に収納されていると共に、ロールＡがロール保持部１０のロール支持部材１４に支持されている。そして、該ロールＡから引き出されたラベルシートＢが第１、第２ガイドローラ１６，１７を介して送りローラ２３に案内され、第１、第２補助ローラ２７ａ，２７ｂを介してラベルセンサ７０のラベル検出部材７５の二又間を通り、送りローラ２３前方に配置された印字ローラ２４に送り込まれている。そして、駆動ギヤ２６が駆動されることによって送りローラ２３と印字ローラ２４とが回転し、上記ロールＡからラベルシートＢが引き出され、印字ローラ２４に案内されることになる。一方、ラベルシートＢからラベルが剥離された台紙は、支持ローラ２８及び第３補助ローラ２７ｃを介して可動フレーム４後方の台紙巻き取り部８０に案内され、上記台紙の先端が巻き取り軸８２に取り付けられた保持部材によって保持されている。そして、モータ８１を駆動することによって上記台紙が巻き取られるようになっている。なお、ロール保持部１０の支持軸１１と第１ガイドローラ１６との間には、ロールＡがロール支持部材１４から脱落しないようにロール押え部材１５が取り付けられている。
【００５５】
このとき、印字ヘッドユニット６０は、ロックレバー６７のフック６７ａとピン２２ａとが掛合することによって使用位置に固定されている。したがって、ラベルシートＢは、第１押えローラ支持機構３０の第１押えローラ３７と送りローラ２３とで挟持されていると共に、印字ヘッド６４と印字ローラ２４とで挟持されており、該印字ヘッド６４によってラベルシートＢのラベルが印字され、該ラベルが上記剥離棒でラベルシートＢから剥離されて該剥離棒の前方に配置されたラベル受け機構５３に受け渡される。
【００５６】
また、引き出しユニット９が本体フレーム３内の使用位置に収納されているので、引き出しユニット９における揺動ユニット５０が支持台２ａに支持されている。したがって、ラベルシートＢからラベルが剥離された台紙が、第２押えローラ支持機構５２の第２押えローラ５５と上記印字ローラ２４とで挟持されている。
【００５７】
ここで、送りローラ２３と印字ローラ２４との間に配置されたラベルセンサ７０によってロールＡから引き出されてきたラベルシートＢにラベルが貼付されていないことが検出されると、その検出信号がコントロールユニットに送信され、作業者は、コントロールユニットに送信された検出信号に基づいてロールの交換作業を行うことになる。
【００５８】
このロール交換作業について説明すると、まず、印字ヘッドユニット６０におけるロックレバー６７のレバー部６７ｂを引き上げて、ロックレバー６７の腕部に形成されたフック６７ａと第２サブフレーム２２から突設するピン２２ａとの掛合を解除する。これにより、印字ヘッドユニット６０と可動フレーム４との掛合が解除され、印字ヘッドユニット６０がヒンジ６２，６２を中心に、上記引き出しユニット９の移動経路に対して側方の退避位置に撥ね上げることが可能となると共に、第１押えローラ支持機構３０の第１押えローラ３７による送りローラ２３への押え付けが解除される。
【００５９】
次に、印字ヘッドユニット６０を上記退避位置に撥ね上げて、上記引き出しユニット９を前方へ引き出すと、ラベルセンサ７０のブラケット７３に可動フレーム４の当接部４ｂが当接し、さらに該引き出しユニット９を前方の所定位置まで引き出すことにより、ラベルセンサ７０がラベル検出位置から９０度回転した退避位置まで回転移動し、板バネ７５の付勢力によって上記退避位置で固定され、引き出しユニット９の移動経路から退避することになる。このとき、ラベル検出部材７４に接続されたハーネス７６は前方へ引き出されることがないので、ロールＡの装着やシートＢのセット等の作業の邪魔になることがなくなる。
【００６０】
また、上記引き出しユニット９が所定の位置まで引き出されたときに、揺動ユニット５０が支持ローラ２８を支点として下方に揺動されると共に、第２押えローラ支持機構５２も下方に移動し、該第２押えローラ支持機構５２の第２押えローラ５５による印字ローラ２４の押え付けが解除される。
【００６１】
ここで、図７に示すように、該印字ヘッドユニット６０を上記退避位置に撥ね上げて、引き出しユニット９を上記使用位置から前方の所定位置まで引き出したとき、印字ヘッドユニット６０は、本体フレーム３に取り付けられているので前方に引き出されることがなく、印字ヘッドユニット６０の印字ヘッド６４に接続されたハーネス６９も前方へ引き出されることがなくなり、該引き出しユニット９の出し入れ時にハーネス６９が引っかかったり噛み込んだりするおそれがなくなり、また、このハーネス６９がロールＡの装着やシートＢのセット等の作業の邪魔になることがなくなる。
【００６２】
そして、上記引き出しユニット９が所定の位置まで引き出された後、ロール押え部材１５をロール支持軸１１から取り外し、残留する芯管を取り除くと共に、台紙巻き取り部８０で巻き取られた台紙を取り除き、別のロールＡを上記ロール支持部材１４に支持させ、再びロール押え部材１５の切り込み１５ａをロール支持軸１１に係合させて該ロール押え部材１５を取り付ける。
【００６３】
そして、ロール支持部材１４に支持されたロールＡからラベルシートＢを引き出して、第１、第２ガイドローラ１６，１７を介して送りローラ２３と印字ローラ２４に案内し、該ラベルシートＢの先端を上記台紙巻き取り部８０の保持部材によって保持させる。
【００６４】
このとき、第１、第２押えローラ支持機構３０，５２による送りローラ２３と印字ローラ２４とへの押え付けは、それぞれ解除されているので、上記のラベルシートＢのセット作業が容易に行うことができる。
【００６５】
そして、上記のラベルシートＢのセット作業が完了した後、引き出しユニット９を再び本体フレーム３内の使用位置に押し戻すことになるが、このとき、ブラケット７３の突設部７３ａに可動フレーム４に設けられた当接部４ｂが当接し、さらに引き出しユニット９を押し戻すことにより、ラベルセンサ７０が退避位置から上記ラベル検出位置まで移動したときに、板バネ７５の付勢力によってラベルセンサ７０がラベル検出位置で固定され、再びラベルシートＢのラベルの有無を検出することができる。
【００６６】
また、揺動ユニット５０は、支持ローラ２８を支点として下方の退避位置から上方に揺動されて、支持台２ａによって再び所定の位置で支持されると共に、第２押えローラ支持機構５２の第２押えローラ５５が印字ローラ２４を下方から押え付けて、上記ラベルシートＢからラベルが剥離された台紙を再び挟持することになる。
【００６７】
そして、上記可動フレーム４の磁石８，８が本体フレーム３のストッパ部３ａに吸着して、引き出しユニット９を本体フレーム３内の使用位置に収納させた後、退避位置に撥ね上げられた印字ヘッドユニット６０を降し、印字ヘッドユニット６０を上方から押え付けることにより、ロックレバー６７のフック６７ａに形成されたテーパー面がピン２２ａに対して摺接しながら押し下げられ、該フック６７ａとピン２２ａとが再び掛合すると共に、上記第１押えローラ支持機構３０の支持ブラケット３５が印字ヘッドユニット６０の印字ブラケット６１によって所定の位置に固定され、第１押えローラ３７が送りローラ２３に対して上方より押え付けて、ラベルシートＢを再び挟持するようになる。
【００６８】
なお、可動フレーム４には、上記第１、第２ガイドローラ１６，１７の支軸がそれぞれ挿通される２個のローラ軸取り付け穴（図示せず）が設けられているが、第２ガイドローラ１７の奥方には、さらに２個の予備のローラ軸取り付け穴が設けられており、そのうちの一方の取り付け穴は、上記ロール支持軸１１の中心からの寸法が第１ガイドローラ１６の取り付け穴と等しくされている。
【００６９】
したがって、第１ガイドローラ１６がロール押え部材１５に取り付けられている状態で、該第１ガイドローラ１６を可動フレーム３から取り外し、ローラ支持軸１１の中心からの寸法が第１ガイドローラ１６の取り付け穴と等しい予備の取り付け穴に第１ガイドローラ１６を挿通し、また、片持状の第２ガイドローラ１７を可動フレーム３から取り外し、他方の予備の取り付け穴に第２ガイドローラ１７を挿通することができる。これにより、ラベルシートＢのラベル貼付け面を内側に巻いた内巻きタイプのロールを使用することができるようになり、内巻きタイプのロールでも、外巻きタイプのロールでも使用することができるようになっている。
【００７０】
また、このようなラベルプリンタ１を計量値付装置や、図８に示すような計量値付包装装置１００等、種々の装置に適用することも可能である。
【００７１】
【発明の効果】
以上のように、第１発明によれば、ロール保持部や台紙巻き取り部等をベース部材上に配設してなる引き出しユニットに、印字部を構成する印字ヘッドと印字ローラのうちの印字ローラのみが支持されて、印字ヘッドはプリンタ本体側に取り付けられるので、ロール交換時等において、上記引き出しユニットをプリンタ本体から前方へ引き出すときに、印字ヘッドはプリンタ本体側に残されることになる。したがって、該引き出しユニットの出し入れ時に印字ヘッドに接続されたハーネスを引っかけたり噛み込んだりすることが防止されると共に、該ハーネスがロール交換作業の邪魔になることも防止され、さらに、ユニットの出し入れが軽くなるなど、該ロール交換作業の作業性が向上することになる。
【００７２】
その場合に、この発明によれば、引き出しユニットにおけるロール保持部と印字ローラとの間に、送りローラと該送りローラとの間にラベルシートを挟み付ける押えローラとが備えられ、この押えローラが、印字ヘッドの退避位置への移動に連動して送りローラから離反することになる。
【００７３】
したがって、ロール交換時においてラベルシートを印字部にセットするときに、押えローラが送りローラから自動的に離反されて上記シートのセット作業が容易に行えることになる。また、シートのセット後に、印字ヘッドを印字位置にセットすれば、押えローラがラベルシートを介して自動的に送りローラに対接されることになり、該押えローラのセット作業が不要となる。
【００７４】
また、第２発明によれば、印字ヘッドは、引き出しユニットの引き出し方向に対して側方へ退避可能とされているので、例えば径の大きなロールを保持するために引き出しユニットにおけるロール保持部の容積が大きく設定されている場合にも、印字ヘッドを比較的小さな移動量で退避位置へ移動させることが可能となり、該印字ヘッドを移動可能に保持する機構が簡素化されると共に、その移動操作の操作性が良好となる。
【００７５】
また、第３発明によれば、引き出しユニットにおける印字ローラとの間に台紙を挟み付ける台紙用押えローラが備えられ、この台紙用押えローラが、引き出しユニットの引き出し動作に連動して印字ローラから離反することになる。したがって、ロール交換時において台紙を印字部にセットするときに、台紙用押えローラが印字ローラから自動的に離反されて上記台紙のセット作業が容易に行えることになる。また、台紙のセット後に、引き出しユニットをプリンタ本体内に押し込めば、台紙用押えローラが台紙を介して自動的に印字ローラに対接されることになり、該台紙用押えローラのセット作業が不要となる。
【００７６】
さらに、第４発明によれば、引き出しユニットにおける印字ローラの前方に、台紙から剥離されたラベルを受け取るラベル受け部が備えられる場合に、このラベル受け部が、引き出しユニットの引き出しに連動して下方の退避位置に移動するので、ロールの交換時において印字ローラを経由する経路にラベルシートをセットする際に該ラベル受け部が邪魔になることがなく、また、引き出しユニットをプリンタ本体内へ押し込めば、該ラベル受け部が印字ローラ前方の所定位置に自動的にセットされることになる。
【００７７】
そして、第５発明によれば、ラベルシート上におけるラベルの通過を検出するラベルセンサが備えられる場合に、このラベルセンサが引き出しユニットの引き出しに連動して退避位置に移動するので、該引き出しユニットの引き出しの邪魔になることがなく、また引き出しユニットをプリンタ本体内に押し込めば自動的にラベル検出位置にセットされるので、ロール交換時におけるラベルセンサの移動のための作業が不要となる。そして、このラベルセンサはプリンタ本体側に取り付けられているので、引き出しユニットの引き出し時に、該センサに接続されたハーネスがプリンタ本体外部に引き出されることがなく、このハーネスがロール交換作業の邪魔になることが防止される。
【００７８】
【図面の簡単な説明】
【図１】  本発明の実施の形態に係るラベルプリンタの側面図である。
【図２】  同じくラベルプリンタの上部正面図である。
【図３】  同じくラベルプリンタの下部正面図である。
【図４】  印字部付近の拡大側面図である。
【図５】  ラベルセンサのラベル検出位置での拡大平面図である。
【図６】  同じくラベルセンサの退避位置での拡大平面図である。
【図７】  ラベルプリンタの作用を説明する側面図である。
【図８】  ラベルプリンタを搭載したストレッチ包装機の外観図である。
【符号の説明】
１              ラベルプリンタ
３              本体フレーム
４              可動フレーム
９              引き出しユニット
１０            ロール保持部
２０            印字部
２３            送りローラ
２４            印字ローラ
３０            第１押えローラ支持機構
３７            第１押えローラ
５０            揺動ユニット
５２            第２押えローラ支持機構
５３            ラベル受け機構
５５            第２押えローラ
６０            印字ヘッドユニット
６４            印字ヘッド
７０            ラベルセンサ
７４            ラベル検出部材
８０            台紙巻き取り部
Ａ              ロール
Ｂ              ラベルシート
【図１】
0004505111.tif 000002
【図２】
0004505111.tif 000003
【図３】
0004505111.tif 000004
【図４】
0004505111.tif 000005
【図５】
0004505111.tif 000006
【図６】
0004505111.tif 000007
【図７】
0004505111.tif 000008
【図８】
0004505111.tif 000009